(57)【要約】【課題】脱穀フィードチェンによる穀稈搬送を円滑化するとともに、この脱穀フィードチェンへの手扱ぎ穀稈の供給を容易化する。【解決手段】脱穀フィードチェン（８）の搬送始端部に、脱穀フィードチェン（８）の搬送始端部の上側に対向する位置に配置されて脱穀フィードチェン（８）への手扱ぎ穀稈の供給を規制する規制状態と、脱穀フィードチェン（８）の搬送始端部から上方へ退避して脱穀フィードチェン（８）への手扱ぎ穀稈の供給を許容する規制解除状態とに切り替わる手扱ぎ規制部材（１８）を備え、規制状態における脱穀フィードチェン（８）の搬送始端部と手扱ぎ規制部材（１８）との間に、刈取装置（３）側から脱穀フィードチェン（８）側へ引き継がれる穀稈の搬送通路となる上下方向の隙間が維持される構成とする。【選択図】      図３
2014087330.tif 000002
【特許請求の範囲】
【請求項１】
刈取装置（３）の後側に脱穀装置（４）が備えられ、該脱穀装置（４）の左右一側には刈取装置（３）側から搬送される穀稈を引き継いで脱穀装置（４）へ供給する脱穀フィードチェン（８）が備えられたコンバインにおいて、前記脱穀フィードチェン（８）の搬送始端部には、該脱穀フィードチェン（８）の搬送始端部の上側に対向する位置に配置されて脱穀フィードチェン（８）への手扱ぎ穀稈の供給を規制する規制状態と、脱穀フィードチェン（８）の搬送始端部から上方へ退避して脱穀フィードチェン（８）への手扱ぎ穀稈の供給を許容する規制解除状態とに切り替わる手扱ぎ規制部材（１８）が備えられ、前記規制状態における脱穀フィードチェン（８）の搬送始端部と手扱ぎ規制部材（１８）との間には、刈取装置（３）側から脱穀フィードチェン（８）側へ引き継がれる穀稈の搬送通路となる上下方向の隙間が維持される構成としたことを特徴とするコンバイン。
【請求項２】
前記脱穀フィードチェン（８）における搬送始端部よりも後側の部位の上側に、該脱穀フィードチェン（８）との間で穀稈を挟持する挟持レール（９）が対向配置され、前記規制状態における手扱ぎ規制部材（１８）の後端部が、挟持レール（９）の前端部よりも後方に位置する構成とした請求項１記載のコンバイン。
【請求項３】
前記手扱ぎ規制部材（１８）が、刈取装置（３）側の横軸（２２）を中心として上下回動自在に取り付けられ、該手扱ぎ規制部材（１８）の上昇回動によって、前記規制解除状態が現出される構成とした請求項１または請求項２記載のコンバイン。
【請求項４】
前記規制解除状態における手扱ぎ規制部材（１８）が、その後端部を前記横軸（２２）よりも前側に偏倚させた姿勢で保持される構成とした請求項３に記載のコンバイン。
【請求項５】
前記刈取装置（３）側から脱穀フィードチェン（８）の搬送始端部に引き継がれる穀稈を、該脱穀フィードチェン（８）の搬送始端部上面に弾性的に押圧する引継ぎガイド杆（２３）が備えられ、該引継ぎガイド杆（２３）の前端部が前記横軸（２２）と同一軸心で軸支された請求項３または請求項４に記載のコンバイン。
【請求項６】
前記刈取装置（３）を駆動する第１無段変速装置（５０）と、前記脱穀フィードチェン（８）を駆動する第２無段変速装置（３７）とが備えられ、前記手扱ぎ規制部材（１８）が規制状態に切り替わっている場合に、前記第２無段変速装置（３７）が第１無段変速装置（５０）の出力回転速度に同調した速度に自動的に変速され、前記手扱ぎ規制部材（１８）が規制解除状態に切り替わっている場合には、第２無段変速装置（３７）の出力回転速度が第１無段変速装置（５０）の出力回転速度に拘らずに一定の回転速度に維持される構成とした請求項１から請求項５のいずれか一項記載のコンバイン。
【発明の詳細な説明】
【技術分野】
【０００１】
この発明は、コンバインに関する。
【背景技術】
【０００２】
従来、下記特許文献１に示すように、手扱ぎ作業の安全性を高めるために、脱穀フィードチェンの搬送始端部の横側部に、この脱穀フィードチェンの搬送作用域よりも高い位置まで上昇移動する手扱ぎプレートを設け、脱穀フィードチェンの搬送始端部の上側には、刈取作業時に、脱穀フィードチェンの搬送始端部との間で穀稈を挟持する補助挟持杆を上下回動自在に設け、手扱ぎ作業時には、この補助挟持杆を上方へ回動操作して退避させると共に、手扱ぎプレートを上昇移動させる技術が知られている。
【０００３】
また、下記特許文献２に示すように、手扱ぎ作業の作業性の向上を図るために、脱穀装置に穀桿を搬送するフィードチェンを一定速度で駆動させる手扱ぎスイッチを設ける技術が知られている。
【先行技術文献】
【特許文献】
【０００４】
【特許文献１】特開２００７−１４２８７号公報
【特許文献２】特開２００８−２７８７８５号公報
【発明の概要】
【発明が解決しようとする課題】
【０００５】
しかしながら、特許文献１記載の技術では、手扱ぎ作業時に手扱ぎプレートが上昇移動して脱穀フィードチェンの搬送作用を阻害するため、この脱穀フィードチェンの搬送始端部に手刈りした穀稈を置いても、この穀稈を脱穀装置へ積極的に供給することができず、手扱ぎ作業の能率が低下する問題がある。
【０００６】
また、特許文献２記載の技術では、通常の刈取り作業から手扱ぎ作業への切換え時において、手扱ぎスイッチをわざわざ押し操作せねばならず、手扱ぎ作業の能率が低下する問題があった。
【０００７】
そこで、本発明の主たる課題は、かかる問題点を解消することにある。
【課題を解決するための手段】
【０００８】
この発明は、上記課題を解決すべく次のような技術的手段を講じた。
すなわち、請求項１記載の発明は、刈取装置（３）の後側に脱穀装置（４）が備えられ、該脱穀装置（４）の左右一側には刈取装置（３）側から搬送される穀稈を引き継いで脱穀装置（４）へ供給する脱穀フィードチェン（８）が備えられたコンバインにおいて、前記脱穀フィードチェン（８）の搬送始端部には、該脱穀フィードチェン（８）の搬送始端部の上側に対向する位置に配置されて脱穀フィードチェン（８）への手扱ぎ穀稈の供給を規制する規制状態と、脱穀フィードチェン（８）の搬送始端部から上方へ退避して脱穀フィードチェン（８）への手扱ぎ穀稈の供給を許容する規制解除状態とに切り替わる手扱ぎ規制部材（１８）が備えられ、前記規制状態における脱穀フィードチェン（８）の搬送始端部と手扱ぎ規制部材（１８）との間には、刈取装置（３）側から脱穀フィードチェン（８）側へ引き継がれる穀稈の搬送通路となる上下方向の隙間が維持される構成としたことを特徴とするコンバインとする。
【０００９】
請求項２記載の発明は、前記脱穀フィードチェン（８）における搬送始端部よりも後側の部位の上側に、該脱穀フィードチェン（８）との間で穀稈を挟持する挟持レール（９）が対向配置され、前記規制状態における手扱ぎ規制部材（１８）の後端部が、挟持レール（９）の前端部よりも後方に位置する構成とした請求項１記載のコンバインとする。
【００１０】
請求項３記載の発明は、前記手扱ぎ規制部材（１８）が、刈取装置（３）側の横軸（２２）を中心として上下回動自在に取り付けられ、該手扱ぎ規制部材（１８）の上昇回動によって、前記規制解除状態が現出される構成とした請求項１または請求項２記載のコンバインとする。
【００１１】
請求項４記載の発明は、前記規制解除状態における手扱ぎ規制部材（１８）が、その後端部を前記横軸（２２）よりも前側に偏倚させた姿勢で保持される構成とした請求項３に記載のコンバインとする。
【００１２】
請求項５記載の発明は、前記刈取装置（３）側から脱穀フィードチェン（８）の搬送始端部に引き継がれる穀稈を、該脱穀フィードチェン（８）の搬送始端部上面に弾性的に押圧する引継ぎガイド杆（２３）が備えられ、該引継ぎガイド杆（２３）の前端部が前記横軸（２２）と同一軸心で軸支された請求項３または請求項４に記載のコンバインとする。
【００１３】
請求項６記載の発明は、前記刈取装置（３）を駆動する第１無段変速装置（５０）と、前記脱穀フィードチェン（８）を駆動する第２無段変速装置（３７）とが備えられ、前記手扱ぎ規制部材（１８）が規制状態に切り替わっている場合に、前記第２無段変速装置（３７）が第１無段変速装置（５０）の出力回転速度に同調した速度に自動的に変速され、前記手扱ぎ規制部材（１８）が規制解除状態に切り替わっている場合には、第２無段変速装置（３７）の出力回転速度が第１無段変速装置（５０）の出力回転速度に拘らずに一定の回転速度に維持される構成とした請求項１から請求項５のいずれか一項記載のコンバインとする。
【発明の効果】
【００１４】
請求項１記載の発明によれば、刈取脱穀作業時に、手扱ぎ規制部材（１８）を脱穀フィードチェン（８）の搬送始端部の上側に対向する位置に配置することで、この脱穀フィードチェン（８）始端部への手扱ぎ穀稈の供給を規制でき、この状態において、脱穀フィードチェン（８）の搬送始端部と手扱ぎ規制部材（１８）の間に、刈取装置（３）側から脱穀フィードチェン（８）側へ引き継がれる穀稈の搬送通路となる上下方向の隙間が維持されるので、刈取装置（３）側から脱穀フィードチェン（８）側への穀稈の引き継ぎを円滑に行わせることができ、刈取脱穀作業の能率が高まる。
【００１５】
そして、手扱ぎ作業時には、この手扱ぎ規制部材（１８）を脱穀フィードチェン（８）の搬送始端部から上方へ退避させることで、この脱穀フィードチェン（８）の搬送始端部へ手扱ぎ穀稈を容易に供給でき、脱穀フィードチェン（８）の搬送作用によって、この穀稈を脱穀装置（４）へ積極的に供給して脱穀処理することができる。
【００１６】
請求項２記載の発明によれば、請求項１に記載の発明による効果に加えて、規制状態における手扱ぎ規制部材（１８）の後端部が、脱穀フィードチェン（８）の上側に対向配置された挟持レール（９）の前端部よりも後方に位置するので、刈取脱穀作業において、手扱ぎ規制部材（１８）の下側に形成される搬送通路を通過した穀稈が挟持レール（９）の下側へ円滑に案内され、刈取脱穀作業の能率が高まる。
【００１７】
請求項３記載の発明によれば、請求項１または請求項２に記載の発明による効果に加えて、手扱ぎ規制部材（１８）が、刈取装置（３）側の横軸（２２）を中心として上下回動自在に取り付けられ、この手扱ぎ規制部材（１８）の上昇回動によって、規制解除状態が現出される構成としているので、脱穀装置側を支点として手扱ぎ規制部材の前部を上昇回動させる構成に比べて、脱穀フィードチェン（８）の搬送始端部側に手扱ぎ穀稈供給用の広い空間を形成することができ、手扱ぎ作業を容易に行うことができる。
【００１８】
請求項４記載の発明によれば、請求項３に記載の発明による効果に加えて、規制解除状態における手扱ぎ規制部材（１８）が、その後端部を上下回動支点となる横軸（２２）よりも前側に偏倚させた姿勢で保持されるので、更に広い手扱ぎ穀稈供給用の空間を形成することができ、手扱ぎ作業が容易化される。
【００１９】
請求項５記載の発明によれば、請求項３または請求項４に記載の発明による効果に加えて、刈取装置（３）側から引き継がれる穀稈を、脱穀フィードチェン（８）の搬送始端部上面に弾性的に押圧する引継ぎガイド杆（２３）の前端部が、手扱ぎ規制部材（１８）の回動支点である横軸（２２）と同一軸心で軸支されるので、部品点数が少なくて済み、コンバインの製造コストを低減することができる。
【００２０】
請求項６記載の発明によれば、請求項１から請求項５のいずれか一項に記載の発明による効果に加えて、手扱ぎ規制部材（１８）が規制状態に切り替わっている場合に、第２無段変速装置（３７）が第１無段変速装置（５０）の出力回転速度に同調した速度に自動的に変速されるので、刈取装置（３）側から脱穀フィードチェン（８）への穀稈の引継ぎが円滑化して穀稈の詰りの発生が少なくなり、収穫作業の能率が高まる。
【００２１】
また、手扱ぎ規制部材（１８）が規制解除状態に切り替わっている場合には、第２無段変速装置（３７）の出力回転速度が第１無段変速装置（５０）の出力回転速度に拘らずに一定の回転速度に維持されるので、手扱ぎ穀稈を脱穀フィードチェン（８）に容易に供給することができる。
【図面の簡単な説明】
【００２２】
【図１】コンバインの側面図
【図２】コンバインの平面図
【図３】コンバインの要部の側面図
【図４】コンバインの要部の平面図
【図５】コンバイン要部の動力伝達機構を示す概略図
【図６】コンバインの要部の側面図
【図７】コンバインの要部の切断側面図
【図８】同上要部の拡大側面図
【図９】コンバインの要部の正面図
【図１０】同上要部の正面図
【発明を実施するための形態】
【００２３】
この発明の実施例を図面に基づき説明する。
コンバインは、主として立毛穀稈を刈り取って搬送する走行クローラ（走行装置）２を具備した車体１前部の刈取部（刈取装置）３と、刈取部３から搬送供給される穀稈を脱穀処理する車体後部の脱穀装置（脱穀部）４とからなる。
【００２４】
走行クローラ２には、エンジンＥへの駆動力を無段階に変速して走行クローラ２へ伝達する走行用無段変速装置（第１無段変速装置）５０からの出力回転が走行ミッション５１を介して伝達される。
【００２５】
刈取部３は、車体１の走行フレーム１ａから上方に突設した刈取懸架台５に対して上下に昇降可能で前後方向に沿わせて設けた刈取支持フレーム６に装備している。刈取部３からの刈取搬送穀稈は、前記脱穀部４の扱胴７の扱室一側に沿わせて設けた脱穀フィードチェン８と、この上側に対向する位置に弾発付勢用のスプリン９ａを介して支持した断面コ字形状の挟持レール９との間に受け継がせるように構成している。
【００２６】
また、前記刈取部３は、立毛する穀稈を左右に分草する分草体１０，１０…、分草後の穀稈を引き起す６条分の穀稈引起し装置１１…、引起し後の穀稈を刈り取るバリカン式の刈刃装置１２、刈取後の穀稈を掻込搬送する掻込搬送装置、掻込搬送後の穀稈を引き継いで揚上搬送し後方の脱穀部４に搬送供給する刈取穀稈搬送装置１３等からなる。
【００２７】
刈取穀稈搬送装置１３の終端側には、後方の脱穀部４側に搬送供給する株元側供給チェン１４と穂先側ラグ付き供給チェン１５が上下に配して設けられ、前記脱穀部４の脱穀フィードチェン８に適正姿勢で穀稈を受け継ぎさせるように配置構成している。
【００２８】
自走しながらの刈取脱穀作業状態では、穀稈の手扱ぎ供給が行えないように脱穀フィードチェン８の始端部上方を覆う手扱ぎ牽制部材（手扱ぎ規制部材）１８が設けられ、手刈りした穀稈を人為的に扱室内へ供給する手扱ぎ作業時には、前記手扱ぎ牽制部材を上方に押し開けて起立させることで、脱穀フィードチェンの始端部上方を開放すると同時に、手扱ぎモードスイッチ１９をオンして脱穀フィードチェン８が車速連動の変速制御状態から一定速度で回転する手扱ぎモードに切り替えるようになっている。尚、手扱ぎ牽制部材１８は、左右方向の断面形状をコ字形状またはＬ字形状に形成する。
【００２９】
前記手扱ぎ牽制部材１８は、脱穀フィードチェン８の始端部上面より上方に所定空間（穀稈の搬送通路）を開けて対応位置してあり、フィードチェン８の上方を覆う手扱ぎ牽制姿勢（規制状態）Ａと、手扱ぎ供給が可能な起立開放姿勢（規制解除状態）Ｂとに切替可能に構成している。そして、該部材１８の前端部は、刈取サイドフレーム２０に取り付けた搬送装置の搬送支持枠部２１に架設された左右横方向の横軸２２によって回動固定自在に軸支されていて、この後端側が横軸２２を回動支点として上下に揺動開閉するようになっている。上述した手扱ぎモードスイッチ１９は、横軸２２回りの手扱ぎ牽制部材１８の回動角度を検出するか、手扱ぎ牽制部材１８が手扱ぎ牽制姿勢Ａとなった場合にこの手扱ぎ牽制部材１８と接触することにより、手扱ぎモードが有効となるように構成されている。
【００３０】
また、手扱ぎ牽制部材１８の後端部は、脱穀フィードチェン８の上側に対設する挟持レール９の始端部に対して側面視で重合する状態に臨ませてあり、そして、該手扱ぎ牽制部材１８の後端部には挟持レール９の上下動に支障なきよう切欠き部１８ａを設けた構成になっている。
【００３１】
また、前記手扱ぎ牽制部材１８の起立開放姿勢Ｂ状態では、上端側が前位で下端側が後位となる前傾姿勢の状態（その後端部を横軸２２よりも前側に偏倚させた姿勢）を維持するように構成している。
【００３２】
脱穀フィードチェン８の始端部上面には、挟持レール９による挟持力よりも弱い弾性押圧力を有する引継ぎガイド杆２３が対設されており、前記手扱ぎ牽制部材１８の回動支点である横軸２２と同一軸心上に軸架されている。
【００３３】
この引継ぎガイド杆２３の基部にはステー２３ａが設けられており、手扱ぎ牽制姿勢Ａの手扱ぎ牽制部材１８は、この手扱ぎ牽制部材１８の基部側に設けられたピン１８ｂがステー２３ａの上縁に接触することにより、脱穀フィードチェン８と上下に離間した状態で保持される。
【００３４】
刈取穀稈搬送装置１３から脱穀フィードチェン８へ引継がれる穀稈は、引継ぎガイド杆２３の下側を通過して搬送されるが、引継ぎ穀稈が増大した場合、引継ぎガイド杆２３が上方へ押し上げられるとともに、手扱ぎ牽制部材１８が上昇するため、手扱ぎ牽制部材１８と穀稈の接触を防止することができる。
【００３５】
手扱ぎ作業を行う場合には、扱室内への供給漏斗２４上に臨むゴム板からなる供給受け板２５上に手刈り穀稈の穂先側を載せ、株元側は引継ぎガイド杆２３上及びフィードチェンの始端部上に受け継がせて手扱ぎ供給する。
【００３６】
次に、エンジンＥより脱穀部４へ動力を伝達する動力伝達機構について説明すると、図５に示す如く、エンジンＥの出力軸３０からプーリとベルトを介して脱穀カウンタ軸３１に連動する。更に、該脱穀カウンタ軸３１からプーリとベルトを介して扱胴７への扱胴入力軸３２に連動すると共に、カウンタプーリ３３とＨＳＴ入力プーリ３４及びＨＳＴ入力ベルト３６を介して油圧式無段変速装置（第２無段変速装置、ＨＳＴ）３７へのＨＳＴ入力軸３５に連動している。また、前記脱穀カウンタ軸３１からはプーリとベルトを介して処理胴３８、唐箕３９や揺動選別棚等の選別装置５５へ動力伝達すべく連動構成している。
【００３７】
また、エンジンＥの出力軸３０と走行用無段変速装置５０を連動し、走行用無段変速装置５０からの動力が、走行ミッション５１へ伝達される。
走行ミッション５１の内部には、左右の走行クローラ２への伝動を接続及び遮断する左右のサイドクラッチ（図示省略）が設けられており、左右のサイドクラッチの両方を遮断することにより、走行クローラ２を停止させ、左右のサイドクラッチの一方のみを遮断することにより、機体を旋回させる。
【００３８】
また、刈取部３には、走行用無段変速装置５０から出力された回転が走行ミッション５１における前記サイドクラッチよりも上手側から伝達される。これにより、刈取部３は、機体の走行速度に同調した速度で駆動される。
【００３９】
また、走行ミッション５１から刈取部３用の駆動力を出力する出力軸５２と、刈取部３の上部伝動軸５３の間には、刈取クラッチ５４が設けられている。
ＨＳＴ３７からは減速ギヤケース４０内の減速ギヤ機構４１、減速出力軸４２及びフィードチェン駆動スプロケット４３を介して脱穀フィードチェン８を回転駆動するように連動構成している。なお、脱穀フィードチェン８は、前方に架設する上下方向の揺動開閉支点軸２６（図１０参照）によって軸支されたフレーム８ａにチェンレール８ｂを一体化し、このチェンレール８ｂの前端部に軸支した遊動輪８ｃと、このチェンレール８ｂの後端部に軸支した遊動輪８ｄと、ＨＳＴ３７によって駆動される駆動輪８ｅと、前記遊動輪８ｃと駆動輪８ｅの間に配置した緊張輪８ｆとに亘って巻き掛ける。これにより、脱穀フィードチェン８は、揺動開閉支点軸２６を支点として左右方向に揺動開閉し、脱穀フィードチェン８が機体外側方へ回動すると、移動側のフィードチェン駆動スプロケット４３と、機体に固定側の減速出力軸４２の軸端に備えるカップリングギアとの係合が解除される。
【００４０】
前記ＨＳＴ３７は、脱穀部４の扱胴７室前方部で、刈取部を懸架する刈取懸架台５位置よりは後方の空間内に設置してあり、左右の刈取懸架台５，５を連結する連結部材４４と、脱穀部の前側に左右横方向に架設された脱穀カウンタ軸３１の軸受部材４５とを結ぶ支持フレーム４６に減速ギヤケース４０を介して装着支持している。また、ＨＳＴ３７は、脱穀フィードチェン８の右側（扱胴側）近くに配置すると共に、該フィードチェンの始端部よりも後方位置に設定している。
【００４１】
また、前記ＨＳＴ３７は、脱穀フィードチェン８のみ単独で変速制御する構成であるが、これはＨＳＴトラニオンアームを変速モータにより作動させることで、脱穀フィードチェンを任意に増減速制御することができる。また、車速に連動してＨＳＴを駆動し脱穀フィードチェン８を変速制御することができる。
【００４２】
上記の構成により、手扱ぎ牽制部材１８が手扱ぎ牽制姿勢Ａである状態では、手扱ぎモードがＯＦＦとなり、ＨＳＴ３７は、走行用無段変速装置５０の出力回転速度に同調して変速され、刈取部３の刈取穀稈搬送装置１３から穀稈を円滑に引継いで搬送する。
【００４３】
また、手扱ぎ牽制部材１８が起立開放姿勢Ｂである状態では、手扱ぎモードがＯＮとなり、機体の走行速度及び刈取部３の駆動速度と無関係な一定の駆動速度で脱穀フィードチェン８が駆動されるように、ＨＳＴ３７の変速位置が固定される。
【００４４】
なお、図面は省略しているが、コンバインの緊急停止用スイッチボタンは、手扱ぎ牽制部材より後方、且つ上方に配置しておくとよい。また、手扱ぎ作業者が手扱ぎモードスイッチのＯＮ状態が目視確認できる位置にスイッチを配置することもできる。
【００４５】
また、刈取穀稈搬送装置の終端部と脱穀フィードチェン始端部との間の引継ぎ部に詰まりセンサを設けておくと、穀稈詰まりを早く察知して対処することができる。
脱穀フィードチェン始端部の外側にチェンプレートの先端軌跡に沿う形状のピアノ線を設けておくと、適度にチェンの作用を抑制することができ、低速、少量刈り時における搬送穀稈の姿勢が株元先行になるのを防止することができる。
【００４６】
また、脱穀フィードチェンの株元側チェンプレートの山を穂先側チェンプレートの山よりも高くしておくと、穂先側が低くなることで、刈脱引継ぎ時にフィードチェンが作用し過ぎて穀稈株元先行になるのを防止できる。
【００４７】
排ワラ搬送チェンにおいてもチェンプレート山の高さを上記と同様構成にしておくことで、穂先側が低くなり、穂先チェンのラグが作用した時に稈の姿勢修正がしやすくなる。
【符号の説明】
【００４８】
３    刈取部（刈取装置）
４    脱穀装置
８    脱穀フィードチェン
９    挟持レール
１８    手扱ぎ牽制部材（手扱ぎ規制部材）
２２    横軸
２３    引継ぎガイド杆
３７    ＨＳＴ（第２無段変速装置）
５０    走行用無段変速装置（第１無段変速装置）
【図１】
2014087330.tif 000003
【図２】
2014087330.tif 000004
【図３】
2014087330.tif 000005
【図４】
2014087330.tif 000006
【図５】
2014087330.tif 000007
【図６】
2014087330.tif 000008
【図７】
2014087330.tif 000009
【図８】
2014087330.tif 000010
【図９】
2014087330.tif 000011
【図１０】
2014087330.tif 000012